(57)【要約】【課題】  装置を小型化して簡便に使用することができ、密閉空間内でも燃焼のための空気が不足することなく十分な湿り空気を発生させることができ、さらには迅速な処理を可能とする湿り空気による処理構造を提供する。【解決手段】  処理対象物４の表面を密閉して覆うカバー材１と、当該カバー材１で覆われた密閉空間５内に配設されたガスバーナー２とを備え、当該ガスバーナー２から噴出される燃焼ガスにより、前記密閉空間５内の水分を加熱して前記湿り空気を発生させる湿り空気による処理構造であって、前記密閉空間５内に、空気を吹出すポンプ３の吹出口が備わる。【選択図】        図１
0003134999.tif 000002
【実用新案登録請求の範囲】
【請求項１】
処理対象物の表面を密閉して覆うカバー材と、
当該カバー材で覆われた密閉空間内に配設されたガスバーナーとを備え、
当該ガスバーナーから噴出される燃焼ガスにより発生する水分を加熱して湿り空気を発生させる湿り空気による処理構造であって、
前記密閉空間内に、空気を吹出すポンプの吹出口が備わることを特徴とする湿り空気による処理構造。
【請求項２】
前記ガスバーナーは、前記ポンプと一体に形成されることを特徴とする請求項１に記載の湿り空気による処理構造。
【請求項３】
前記ガスバーナーから噴出される燃焼ガスの噴出し方向と、前記ポンプの吹出口から吹出される空気の吹出し方向が同一方向であることを特徴とする請求項１又は２に記載の湿り空気による処理構造。
【請求項４】
前記ポンプは、電池式であることを特徴とする請求項１〜３のいずれかに記載の湿り空気による処理構造。
【考案の詳細な説明】
【技術分野】
【０００１】
この考案は、湿り空気によって処理対象物、特に土壌を消毒、殺菌等するための湿り空気による処理構造に関するものである。
【背景技術】
【０００２】
湿り空気を用いて土壌を処理（殺菌、消毒等）する場合、予め土壌に散水し、湿った土壌表面をカバー材で覆い、その内側の密閉空間でガスバーナーを用いて水分を加熱して湿り空気を発生させ、土壌に浸透させることにより行う。
【０００３】
しかしながら、カバー材で覆われた密閉空間の大きさには限度があるため、湿り空気を発生させるためのガスバーナーによる燃焼のための空気が限られることになる。そうすると、ガスバーナーの燃焼が不全となり、土壌を処理できるだけの十分な湿り空気が得られなくなる。
【０００４】
また、湿り空気は移動エネルギーを持たないため、密閉空間が湿り空気の雰囲気となり、これが土壌に対して処理を行うまでには多大な時間を要する。
【０００５】
一方、土壌の消毒装置としてオゾンを用いたものが特許文献１に記載されている。この装置は、オゾン溶解水製造装置を搭載し、給水ホースにて自動的に、土壌に対しオゾン溶解水を散布するものである。
【特許文献１】実開平3-126486
【考案の開示】
【考案が解決しようとする課題】
【０００６】
しかしながら、特許文献１の消毒装置は、オゾンを発生させるための装置が必要となり、また発生したオゾンを溶解するための装置が必要であり、装置が大型で、適用箇所が限られるものである。また、湿り空気による土壌の処理については記載も示唆もない。
【０００７】
この考案は上記従来技術を考慮したものであって、装置を小型化して簡便に使用することができ、密閉空間内でも燃焼のための空気が不足することなく十分な湿り空気を発生させることができ、さらには迅速な処理を可能とする湿り空気による処理構造の提供を目的とするものである。
【課題を解決するための手段】
【０００８】
前記目的を達成するため、請求項１の考案では、処理対象物の表面を密閉して覆うカバー材と、当該カバー材で覆われた密閉空間内に配設されたガスバーナーとを備え、当該ガスバーナーから噴出される燃焼ガスにより発生する水分を加熱して前記湿り空気を発生させる湿り空気による処理構造であって、前記密閉空間内に、空気を吹出すポンプの吹出口が備わることを特徴とする湿り空気による処理構造を提供する。
【０００９】
また、請求項２の考案では、請求項１の考案において、前記ガスバーナーは、前記ポンプと一体に形成されることを特徴としている。
【００１０】
また、請求項３の考案では、請求項１又は２の考案において、前記ガスバーナーから噴出される燃焼ガスの噴出し方向と、前記ポンプの吹出口から吹出される空気の吹出し方向が同一方向であることを特徴としている。
【００１１】
また、請求項４の考案では、請求項１〜３のいずれかの考案において、前記ポンプは、電池式であることを特徴としている。
【考案の効果】
【００１２】
請求項１の考案によれば、密閉空間内に、空気を吹出すポンプの吹出口が備わるため、密閉空間内におけるガスバーナーの燃焼のための空気をポンプの吹出口から供給することができ、燃焼空気が不足することはない。したがって、ガスバーナーの燃焼が不全となることを防止でき、土壌を処理できるだけの十分な湿り空気を確実に得ることができる。
【００１３】
請求項２の考案によれば、ガスバーナーとポンプが一体に形成されるため、取り扱い性が向上する。また一体とすることにより、部材をまとめることができ、装置全体としての構造が小型化する。
【００１４】
請求項３の考案によれば、ポンプの空気の吹出し方向とガスバーナーの燃焼ガス噴出方向を同じ方向とすることにより、燃焼ガスが燃焼して炎を放出する際に誘引する周囲の空気をポンプからの空気とともに吹出すことができる。したがって、誘引空気に移動エネルギーを与えることになり、燃焼ガスをより遠方まで届かせることができる。このため、湿り空気の生成を迅速かつ効率よく行うことができる。
【００１５】
請求項４の考案によれば、ポンプが電池式であるため、ポンプが小型化、軽量化される。したがって、取り扱い性が向上し、装置全体としての構造がさらに小型化する。
【考案を実施するための最良の形態】
【００１６】
この考案は、処理対象物の表面を密閉して覆うカバー材と、当該カバー材で覆われた密閉空間内に配設されたガスバーナーとを備え、当該ガスバーナーから噴出される燃焼ガスにより、前記密閉空間内の水分を加熱して前記湿り空気を発生させる湿り空気による処理構造であって、前記密閉空間内に、空気を吹出すポンプの吹出口が備わり、ガスバーナーの燃焼が不全となることを防止でき、土壌を処理できるだけの十分な湿り空気を確実に得ることができる湿り空気による処理構造である。
【実施例１】
【００１７】
図１はこの考案に係る湿り空気による処理構造の概略図である。
【００１８】
この考案に係る湿り空気による処理構造は、カバー材１と、ガスバーナー２と、ポンプ３で構成される。カバー材１は、処理対象物たる土壌４の表面（地表面）を密閉して覆う。これにより、土壌４の表面とカバー材で密閉空間５が形成される。
【００１９】
ガスバーナー２には、可燃性ガスが封入され、先端の噴出口に引火することにより炎６となって可燃性ガスを噴出する。ガスバーナー２は、その位置を固定するため、支持台７に載置されて固定される。なお、支持台７を持ってガスバーナー２を移動させることも可能である。
【００２０】
ポンプ３は、例えばダイヤフラムポンプであり、小型のものを用いる。図では、ポンプ３の本体に空気の吹出口が一体となって形成されたものを示す。この吹出口にベンチュリチューブを用いて、流速を増加させて圧力を低くし、供給する空気を拡散させてもよい。これにより、湿り空気を効率よく充満させることができる。ポンプ３の本体は、ガスバーナー２と一体化される。この一体化は、ガスバーナー２とポンプ３を適当な連結手段（図示省略）により結束、固定して行われる。例えば、ベルトや、面ファスナーを利用した結束バンドや、ゴムバンド等で結束、固定される。１０は、外部の空気をポンプ３に供給するための配管である。
【００２１】
このような湿り空気による処理構造を用いて土壌を処理（殺菌、消毒等）する場合、一体化されたガスバーナー２及びポンプ３を土壌４の上に設置し、ガスバーナー２に引火して炎６となる燃焼ガスを噴出すとともに、ポンプ３から空気を吹出す。この後、カバー材１にて処理対象物たる土壌４を覆い、密閉空間５を形成する。
【００２２】
この状態で、密閉空間５内においては、燃焼ガスにより発生した水分が加熱され、湿り空気となる。このとき、密閉空間５内には、上述したように、空気を吹出すポンプ３が備わるため、密閉空間５内におけるガスバーナー２の燃焼のための空気をポンプ３の吹出口から供給することができ、燃焼空気が不足することはない。したがって、ガスバーナー２の燃焼が不全となることを防止でき、土壌４を処理できるだけの十分な湿り空気を確実に得ることができる。また、ポンプ３から吹出す空気により、密閉空間５内に空気の流れが生じる。これにより、移動エネルギーを持たない湿り空気に対して流れを形成でき、効率よく密閉空間５内に湿り空気を充満させることができる。
【００２３】
なお、この考案における湿り空気の発生は、密閉空間５内で直接ガスバーナー２内の燃料を燃焼し、これにより多量に発生する水分を利用して行われる。これは、燃料内の水素成分が、燃焼の際に空気中の酸素と反応して水を生成することに着目してなされたものである。したがって、予め湿り空気を発生させるための散水作業や、また、散水のための装置を要しないため、作業が簡便となり、装置としても小型化する。
【００２４】
また、上述したように、ガスバーナー２とポンプ３が適当な連結手段により一体に形成されるため、取り扱い性が向上する。また一体とすることにより、部材をまとめることができ、装置全体としての構造が小型化する。さらに、ポンプ３を電池式とすれば、ポンプ３が小型化、軽量化される。したがって、取り扱い性が向上し、装置全体としての構造がさらに小型化する。
【００２５】
このようにして密閉空間５に充満した湿り空気は、土壌４に浸透し、又は熱として伝わり、土壌４の処理に用いられる。これにより、土壌４の確実な処理（殺菌、消毒等）を行うことができる。
【００２６】
また、ガスバーナー２とポンプ３を一体化し、ポンプ３の空気の吹出し方向とガスバーナー２の燃焼ガス噴出方向を同じ方向とすることにより、燃焼ガスが燃焼して炎６を放出する際に誘引する周囲の空気をポンプ３からの空気とともに吹出すことができる。したがって、誘引空気に移動エネルギーを与えることになり、燃焼ガスをより遠方まで届かせることができる。このため、湿り空気の生成を迅速かつ効率よく行うことができる。
【実施例２】
【００２７】
図２はこの考案に係る別の湿り空気による処理構造の概略図である。
【００２８】
図示したように、ポンプ３がカバー材１の外側に配設される。ポンプ３には配管８が取り付けられ、その先端が空気の吹出口９となる。配管８は、密閉空間５内の昇温による温度に耐えうる材質で形成される。このように構成しても、密閉空間５内に燃焼のための空気を供給することができ、ガスバーナー２の燃焼が不全となることを防止できる。その他の構成、作用、効果は実施例１と同様である。
【図面の簡単な説明】
【００２９】
【図１】この考案に係る湿り空気による処理構造の概略図である。
【図２】この考案に係る別の湿り空気による処理構造の概略図である。
【符号の説明】
【００３０】
１：カバー材、２：ガスバーナー、３：ポンプ、４：土壌、５：密閉空間、６：炎、７：支持台、８：配管、９：吹出口
【図１】
0003134999.tif 000003
【図２】
0003134999.tif 000004